(57)【要約】      （修正有）【課題】ワンタッチで脱着容易な水タンクを有する真空包装機を提供する。【解決手段】真空包装機は、第１の両側面と第１の正面と第１の底面により構成された水タンク収納室を有し、水タンク収納室には水タンク固定具が設置されてなり、水タンク固定具は、第２の両側面、第２の背面、第２の上面、及び、第１の正面と第１の底面から構成されてなり、水タンク固定具の両側面にスライド機構を有し、水タンク固定具の上面には、排気口ＥＯと吸気口ＳＯを上向きに設置し、排気口ＥＯと吸気口ＳＯは、真空包装機の真空ポンプの排気側と吸気側にそれぞれ接続されてなると共に、水タンクは、第３の両側面板Ｓ３と第３の正面板Ｆ３と第３の背面板と上面板Ｕ３と第３の底面板Ｄ３、及び、固定凹部をも構成する第４の両側面板Ｓ４と第４の背面板Ｂ４と第４の上面板Ｕ４により構成され、水タンクの内部空間である水タンク空間と固定凹部とは排気管と吸気管で通気可能に接続してなり、固定凹部の両側面Ｓ４には、スライド機構が設けてなる。【選択図】図１
0003214329.tif 000002
【実用新案登録請求の範囲】
【請求項１】
脱着容易な水タンク９９を有する真空包装機１００において、真空包装機１００は、第１の両側面Ｓ１と第１の正面Ｆ１と第１の底面Ｄ１により構成された水タンク収納室ＴＲを有し、水タンク収納室ＴＲには水タンク固定具ＴＦが設置されてなり、水タンク固定具ＴＦは、第２の両側面Ｓ２、第２の背面Ｆ２、第２の上面Ｕ２、及び、第１の正面Ｆ１と第１の底面Ｄ１から構成されてなり、水タンク固定具ＴＦの両側面Ｆ２にスライド機構ＳＭを有し、水タンク固定具ＴＦの上面Ｕ２には、排気口ＥＯと吸気口ＳＯを上向きに設置し、排気口ＥＯと吸気口ＳＯは、真空包装機１００の真空ポンプＰの排気側ＥＯ’と吸気側ＳＯ’にそれぞれ接続されてなると共に、
水タンク９９は、第３の両側面板Ｓ３と第３の正面板Ｆ３と第３の背面板Ｂ３と上面板Ｕ３と第３の底面板Ｄ３、及び、固定凹部ＦＣをも構成する第４の両側面板Ｓ４と第４の背面板Ｂ４と第４の上面板Ｕ４により構成され、水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなると共に、
固定凹部ＦＣを上から水タンク固定具ＴＦと嵌合させて、水タンク９９を水タンク収納室ＴＲに収納し、第２の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックすることを特徴とする脱着容易な水タンクを有する真空包装機１００。
【請求項２】
第2の両側面Ｓ２に有るスライド機構ＳＭがガイド溝ＧＧからなり、両側面Ｓ３に設けたスライド機構ＳＭがガイド突起ＧＰからなることを特徴とする請求項１に記載された脱着容易な水タンクを有する真空包装機１００。
【請求項３】
第2の両側面Ｓ２に有るスライド機構ＳＭがガイド突起ＧＰからなり、両側面Ｓ３に設けたスライド機構ＳＭがガイド溝ＧＧからなることを特徴とする請求項１〜２の何れかに記載された脱着容易な水タンクを有する真空包装機１００。
【請求項４】
水タンク空間ＴＳには、水取出し管ＷＰが、水タンク空間ＴＳに溜まった水を取出し可能に設置されたことを特徴とする請求項１〜３の何れかに記載された脱着容易な水タンクを有する真空包装機１００。
【請求項５】
水タンク空間ＴＳの中央部に仕切り板Ｐｐを設けて、仕切り板Ｐｐ上部に、通気可能な通気口ＧＯを設けたことを特徴とする請求項１〜４の何れかに記載された脱着容易な水タンクを有する真空包装機１００。
【請求項６】
固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなることを特徴とする請求項１〜５の何れかに記載された脱着容易な水タンクを有する真空包装機１００。
【請求項７】
固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気管ＳＰ吸気口ＳＯはそれぞれ通気可能に接続してなることを特徴とする請求項１〜６の何れかに記載された脱着容易な水タンクを有する真空包装機１００。
【考案の詳細な説明】
【技術分野】
【０００１】
本考案は、脱着容易な水タンクを有する真空包装機に関する。
【背景技術】
【０００２】
従来は、真空包装機１００には排気口ＥＯと吸気口ＳＯが設けてあり、水タンク９９と排気管ＥＰと吸気管ＳＰとは、真空包装機１００の付属品として販売され、使用する時には、水タンク９９と吸気管ＳＰと排気管ＥＰと真空包装機１００には排気口ＥＯと吸気口ＳＯを手作業で接続していたが、従来技術には時間と手間が掛かっていたという欠点があった（図１７、図１８）。
【考案の開示】
【０００３】
考案者は、かかる従来技術の欠点に鑑み鋭意研究した結果、本考案を完成させた。
【先行技術文献】
【特許文献】
【０００４】
本願考案に係る脱着容易な水タンクを有する真空包装機について、ＦＩ、キーワード検索を行ったところ、本件考案（請求項１〜7に記載された発明）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
水タンクと吸気管と排気管と真空包装機には排気口と吸気口を接続するという時間と手間が掛かる手作業を省略して、ワンタッチで脱着容易な水タンクを有する真空包装機を提供することである。
○本考案が解決しようとする第２課題
本考案が解決しようとする第２課題は、
水タンクをワンタッチで真空包装機に取付けた場合、水タンクが真空包装機から外れないようにロック可能な、脱着容易な水タンクを有する真空包装機を提供することである。
○本考案が解決しようとする第３課題
本考案が解決しようとする第３課題は、
水タンクをワンタッチで真空包装機に取付けて水タンクが真空包装機から外れないようにロックした場合、ワンタッチでロックを外して水タンクを取り出すことができる、脱着容易な水タンクを有する真空包装機を提供することである。
○本考案が解決しようとする第４課題
本考案が解決しようとする第４課題は、
水タンクの中に貯蔵された水を容易に排出することができる、脱着容易な水タンクを有する真空包装機を提供することである。
○本考案が解決しようとする第５課題
本考案が解決しようとする第５課題は、
水タンクを容易に取り出すことができたことにより、排気口からの汚れた水による水タンクを清掃することができる、脱着容易な水タンクを有する真空包装機を提供することである。
○本考案が解決しようとする第６課題
本考案が解決しようとする第６課題は、
排気口ＥＯからの排気と排気の水分を凝縮されて吸気側に創出される吸気とを極力混合しないようにされた、脱着容易な水タンクを有する真空包装機を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
●水タンク９９とは、排気口からの排気中に含まれる水分を凝縮させると共に貯蔵するための脱着容易なタンクをいう。
本発明に係る水タンク９９とは、第3の両側面板Ｓ３と第3の正面板Ｆ３と第3の背面板Ｂ３と上面板Ｕ３と第3の底面板Ｄ３、及び、固定凹部ＦＣをも構成する第4の両側面板Ｓ４と第4の背面板Ｂ４と第4の上面板Ｕ４により構成されるタンクをいい、水タンク９９内側が、内部空間である水タンク空間ＴＳ水を貯蔵する空間を構成している。
水タンク９９の内部空間である水タンク空間ＴＳと固定凹部ＦＣとは排気管ＥＰと吸気管ＳＰで通気可能に接続してなっている。
●真空包装機１００とは、真空ポンプにより、密封したプラスチックなどの包装内の空気を吸引して脱気することで包装の内部を真空状態にする機械をいう。
包装内の酸素を排除することで内容物である食品の化学的な変質や微生物による変質を抑制することを目的とする。
なお、「真空包装」は日本工業規格（ＪＩＳ）においても定義付けされている。日本工業規格の定義では「真空包装」とは「内容物の充填時に容器から空気を吸引排気して密封し、物品の変質などを防止することを目的とする包装」とされている。また、「容器には、ガスバリア性の優れた包装材料を用いる」とされている。「真空包装」の対応英語は「ｖａｃｕｕｍ  ｐａｃｋａｇｉｎｇ」である。
本発明に係る真空包装機１００とは、脱着容易な水タンクを有する真空包装機１００をいい、具体的には、水タンク収納室ＴＲ、固定具ＴＦ、水タンク99から構成される真空包装機をいう。
○水タンク収納室ＴＲとは、水タンク９９を収納する空間をいう。
本発明に係る水タンク収納室ＴＲは、具体的には、第１の両側面Ｓ１と第１の背面Ｂ１と第１の底面Ｄ１で囲まれた水タンク99を収納するための空間をいう。水タンク収納室ＴＲの第１の背面Ｂ１と第１の底面Ｄ１に、水タンク固定具ＴＦが取付けられている。水タンク収納室ＴＲの上面は、水タンク99を脱着するために開口されている。
●正面、背面、側面、上面、底面とは、意匠の図面を作成する場合の、正面図、背面図、側面図（左側面図、右側面図）、平面図、底面図に対応し、平面（図）を上面（図）と言い替えている。
●第１の両側面Ｓ１とは、水タンク収納室ＴＲの左側面、右側面をいう。
●第１の背面Ｂ１とは、水タンク収納室ＴＲの背面をいう。
●第１の底面Ｄ１とは、水タンク収納室ＴＲの底面をいう。
●第２の両側面Ｓ２とは、水タンク固定具ＴＦの左側面、右側面をいう。
●第２の正面Ｆ２とは、水タンク固定具ＴＦの正面をいう。
●第２の上面Ｕ２とは、水タンク固定具ＴＦの上面をいう。
○水タンク固定具ＴＦとは、水タンクを容易に脱着するために水タンクを案内するものでもあり、水タンクを前後に外れないようにロックする固定具でもある。
具体的には、水タンク固定具ＴＦは、第２の両側面Ｓ２、第２の正面Ｆ２、第２の上面Ｕ２、及び、第１の背面B1と第１の底面D1から構成されてなり、水タンク固定具ＴＦの内側は空間であっても、中実であってもよい。ただし、水タンク固定具ＴＦの第２の上面Ｕ２の上面に設置された排気口ＥＯと吸気口ＳＯは、真空包装機１００の真空ポンプＰの排気側口ＥＯ’と吸気側口ＳＯ’にそれぞれ、管路または空洞通路(水タンク固定具ＴＦが中実の場合)によって接続されてなる。
また、水タンク固定具ＴＦは、水タンク固定具ＴＦの両側面Ｆ２にスライド機構ＳＭを有してなり、
一方、固定凹部ＦＣは、固定凹部ＦＣの両側面Ｓ４にスライド機構ＳＭを設けてなり、
固定凹部ＦＣを上から水タンク固定具ＴＦと嵌合させて、水タンク９９を水タンク収納室ＴＲに収納し、第2の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックする。
ここに、前後方向とは、正面から背面、又は、背面から正面の方向をいう。
●真空ポンプＰとは、密封したプラスチックなどの包装内の気体を吸い出してその真空度を高める機械をいう。
●排気口ＥＯとは、真空ポンプ内部に入れられた気体が排出される口をいう。
本発明に係る排気口ＥＯと吸気口ＳＯは、共に、水タンク固定具ＴＦの上部に上向きに設置されてなる。
●吸気口ＳＯとは、真空ポンプが気体を吸入する口をいう。
本発明に係る排気口ＥＯと吸気口ＳＯは、共に、水タンク固定具ＴＦの上部に上向きに設置されてなる。
●排気管ＥＰとは、水タンク固定具ＴＦに有る排気口ＥＯから気体（排気ガス）を水タンク９９の内部空間である水タンク空間ＴＳ内に送出するための管をいう。水タンク９９の内部空間である水タンク空間ＴＳ内に取り入れられた気体を水タンク固定具ＴＦの吸気口ＳＯに送出する管をいう。
排気管ＥＰと吸気管ＳＰは、共に、第4の上面板Ｕ４を上下に貫通した状態で、第4の上面板Ｕ４に固定されてなる。
そして、固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなる。
より具体的には、固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気と管ＳＰと吸気口ＳＯはそれぞれ通気可能に接続してなる。
●吸気管ＳＰとは、水タンク９９の内部空間である水タンク空間ＴＳ内に取り入れられた気体を水タンク固定具ＴＦの吸気口ＳＯに送出する管をいう。
排気管ＥＰと吸気管ＳＰは、共に、第4の上面板Ｕ４を上下に貫通した状態で、第4の上面板Ｕ４に固定されてなる。
そして、固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなる。
より具体的には、固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気管ＳＰと吸気口ＳＯはそれぞれ通気可能に接続してなる。
●排気側口ＥＯ’とは、真空ポンプ内部に入れられた気体が排出される真空ポンプの排気口をいう。
●吸気側口ＳＯ’とは、真空ポンプＰの吸気口をいう。
●第4の両側面板Ｓ４とは、固定凹部ＦＣを構成する両側面板（左側面板、右側面板）をいう。
●第4の背面板Ｂ４とは、固定凹部ＦＣを構成する背面板をいう。
●第4の上面板Ｕ４とは、固定凹部ＦＣを構成する上面板をいう。
○固定凹部ＦＣとは、上から水タンク固定具ＴＦと嵌合させて、水タンク９９を水タンク収納室ＴＲに収納する部分をいう。
本発明に係る固定凹部は、具体的には、第4の両側面板Ｓ４と第4の背面板Ｂ４と第4の上面板Ｕ４により構成される空間であり、水タンク９９の正面下部に位置し、正面側と底面側が開かれた空間となっている。
水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなる。
■第３の両側面板Ｓ３とは、水タンク９９の両側面板（左側面板、右側面板）をいう。
■第３の正面板Ｆ３とは、水タンク９９の正面板をいう。
■第３の背面板Ｂ３とは、水タンク９９の背面板をいう。
■上面板Ｕ３とは、水タンク９９の上面板をいう。
■第３の底面板Ｄ３とは、水タンク９９の底面板をいう。
□水タンク空間ＴＳとは、水タンク９９の内部空間をいい、排気口からの排気中に含まれる水分を凝縮させると共に貯蔵するための空間をいう。
本発明に係る水タンク空間ＴＳは、具体的には、第３の両側面板Ｓ３と第３の正面板Ｆ３と第３の背面板Ｂ３と上面板Ｕ３と第３の底面板Ｄ３、及び、固定凹部ＦＣをも囲う第４の両側面板Ｓ４と第４の背面板Ｂ４と上面板Ｕ４により構成されてなる（囲まれてなる）空間をいう。
■スライド機構ＳＭとは、ガイド溝ＧＧとガイド突起ＧＰとを嵌合させることにより、固定凹部ＦＣを上から水タンク固定具ＴＦと嵌合させて、水タンク９９を水タンク収納室ＴＲに収納し、水タンク９９と水タンク固定具ＴＦを前後に外れないようにロックする機構をいう。
●ガイド溝ＧＧとは、上下方向の細長いくぼみをいい、ガイド突起ＧＰと嵌合可能である。
●ガイド突起ＧＰとは、上下方向の細長い突起をいい、ガイド溝ＧＧと嵌合可能である。
●水取出し管ＷＰとは、水タンク空間ＴＳに溜まった水を水タンク空間ＴＳの系外に取出し可能に設置された管をいう。
●仕切り板Ｐｐとは、排気口ＥＯからの排気と排気の水分を凝縮されて吸気側に送出される吸気とを極力混合しないように隔てるものをいう。例えば、水タンク空間ＴＳの中心を通る垂直平面が例示される。完全に隔ててしまえば、排気口ＥＯからの排気が水タンクに溜まるばかりで排出できないので、吸気口を通じて循環できるように、仕切り板Ｐｐには通気口ＧＯが設けられている。
●通気口ＧＯとは、仕切り板Ｐｐに設けられた貫通口をいう。
＜本発明に係る座標系について＞
●ｘｙｚ座標系（右手系）
本発明について、座標系はｘｙｚ座標系（右手系）を採用するものとし、正面図、背面図、左側面図、右側面図、平面（上面）図、底面図、斜視図において、統一的にｘｙｚ座標系（右手系）を採用する。
すなわち、
ｘ方向とは、左側面から右側面への方向をいう。
ｙ方向とは、底面から平面（上面）への方向をいう。
ｚ方向とは、背面から正面への方向をいう。
●上下方向とは、ｙ方向及び−ｙ方向をいう。
具体的には、本願図面の正面図、背面図、左側面図、右側面図において、紙面視、上側を上方向、下側を下方向をいう（統一的に定義する。）。
●前後方向とは、ｚ方向及び−ｚ方向をいう。
具体的には、本願図面の正面図、背面図において、紙面視、前後方向をいう。本願図面の左側面図、右側面図において、紙面視、左右方向をいう（統一的に定義する。）。
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、
脱着容易な水タンク９９を有する真空包装機１００において、真空包装機１００は、第１の両側面Ｓ１と第１の正面Ｆ１と第１の底面Ｄ１により構成された水タンク収納室ＴＲを有し、水タンク収納室ＴＲには水タンク固定具ＴＦが設置されてなり、水タンク固定具ＴＦは、第２の両側面Ｓ２、第２の背面Ｆ２、第２の上面Ｕ２、及び、第１の正面Ｆ１と第１の底面Ｄ１から構成されてなり、水タンク固定具ＴＦの両側面Ｆ２にスライド機構ＳＭを有し、水タンク固定具ＴＦの上面Ｕ２には、排気口ＥＯと吸気口ＳＯを上向きに設置し、排気口ＥＯと吸気口ＳＯは、真空包装機１００の真空ポンプＰの排気側ＥＯ’と吸気側ＳＯ’にそれぞれ接続されてなると共に、
水タンク９９は、第３の両側面板Ｓ３と第３の正面板Ｆ３と第３の背面板Ｂ３と上面板Ｕ３と第３の底面板Ｄ３、及び、固定凹部ＦＣをも構成する第４の両側面板Ｓ４と第４の背面板Ｂ４と第４の上面板Ｕ４により構成され、水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなると共に、
固定凹部ＦＣを上から水タンク固定具ＴＦと嵌合させて、水タンク９９を水タンク収納室ＴＲに収納し、第２の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックすることを特徴とする脱着容易な水タンクを有する真空包装機１００である。
○第２の考案（請求項２に記載の考案）  
上記の課題を解決するための第２の考案（請求項２に記載の考案）は、
第2の両側面Ｓ２に有るスライド機構ＳＭがガイド溝ＧＧからなり、両側面Ｓ３に設けたスライド機構ＳＭがガイド突起ＧＰからなることを特徴とする請求項１に記載された脱着容易な水タンクを有する真空包装機１００である。
○第３の考案（請求項３に記載の考案）
上記の課題を解決するための第３の考案（請求項３に記載の考案）は、
第2の両側面Ｓ２に有るスライド機構ＳＭがガイド突起ＧＰからなり、両側面Ｓ３に設けたスライド機構ＳＭがガイド溝ＧＧからなることを特徴とする請求項１〜２の何れかに記載された脱着容易な水タンクを有する真空包装機１００である。
○第４の考案（請求項４に記載の考案）
上記の課題を解決するための第４の考案（請求項４に記載の考案）は、
水タンク空間ＴＳには、水取出し管ＷＰが、水タンク空間ＴＳに溜まった水を取出し可能に設置されたことを特徴とする請求項１〜３の何れかに記載された脱着容易な水タンクを有する真空包装機１００である。
○第５の考案（請求項５に記載の考案）
上記の課題を解決するための第５の考案（請求項５に記載の考案）は、
水タンク空間ＴＳの中央部に仕切り板Ｐｐを設けて、仕切り板Ｐｐ上部に、通気可能な通気口ＧＯを設けたことを特徴とする請求項１〜４の何れかに記載された脱着容易な水タンクを有する真空包装機１００である。
○第６の考案（請求項６に記載の考案）
上記の課題を解決するための第６の考案（請求項６に記載の考案）は、
固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなることを特徴とする請求項１〜５の何れかに記載された脱着容易な水タンクを有する真空包装機１００である。
○第７の考案（請求項７に記載の考案）
上記の課題を解決するための第７の考案（請求項７に記載の考案）は、
固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気管ＳＰ吸気口ＳＯはそれぞれ通気可能に接続してなることを特徴とする請求項１〜６の何れかに記載された脱着容易な水タンクを有する真空包装機１００である。
【考案の効果】
【０００７】
本考案に係る、脱着容易な水タンク９９を有する真空包装機１００は、上記のような特徴的構成要件から構成され、特徴的構成要件に応じた、以下のような本願考案特有の効果を奏する。
また、上記の各考案に応じた、上記のような特徴的構成要件から構成された脱着容易な水タンクを有する真空包装機１００によれば、本願考案の課題を十分解消することができた。
○第１の考案の効果
第１の考案によれば、
脱着容易な水タンク９９を有する真空包装機１００において、真空包装機１００は、第１の両側面Ｓ１と第１の正面Ｆ１と第１の底面Ｄ１により構成された水タンク収納室ＴＲを有し、水タンク収納室ＴＲには水タンク固定具ＴＦが設置されてなり、水タンク固定具ＴＦは、第２の両側面Ｓ２、第２の背面Ｆ２、第２の上面Ｕ２、及び、第１の正面Ｆ１と第１の底面Ｄ１から構成されてなり、水タンク固定具ＴＦの両側面Ｆ２にスライド機構ＳＭを有し、水タンク固定具ＴＦの上面Ｕ２には、排気口ＥＯと吸気口ＳＯを上向きに設置し、排気口ＥＯと吸気口ＳＯは、真空包装機１００の真空ポンプＰの排気側ＥＯ’と吸気側ＳＯ’にそれぞれ接続されてなると共に、
水タンク９９は、第３の両側面板Ｓ３と第３の正面板Ｆ３と第３の背面板Ｂ３と上面板Ｕ３と第３の底面板Ｄ３、及び、固定凹部ＦＣをも構成する第４の両側面板Ｓ４と第４の背面板Ｂ４と第４の上面板Ｕ４により構成され、水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなると共に、
固定凹部ＦＣを上から水タンク固定具ＴＦと嵌合させて、水タンク９９を水タンク収納室ＴＲに収納し、第２の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックすることという特徴的な構成要件により、本考案が解決しようとする第１課題〜第６課題を達成することができ、当業者予測不可能な顕著な効果を奏することができた。
○第２の考案の効果
第２の考案によれば、
第2の両側面Ｓ２に有るスライド機構ＳＭがガイド溝ＧＧからなり、両側面Ｓ３に設けたスライド機構ＳＭがガイド突起ＧＰからなることという特徴的な構成要件により、本考案が解決しようとする第１課題〜第６課題を達成することができ、当業者予測不可能な顕著な効果を奏することができた。
○第３の考案の効果
第３の考案によれば、
第2の両側面Ｓ２に有るスライド機構ＳＭがガイド突起ＧＰからなり、両側面Ｓ３に設けたスライド機構ＳＭがガイド溝ＧＧからなることという特徴的な構成要件により、本考案が解決しようとする第１課題〜第６課題を達成することができ、当業者予測不可能な顕著な効果を奏することができた。
○第４の考案の効果
第４の考案によれば、
水タンク空間ＴＳには、水取出し管ＷＰが、水タンク空間ＴＳに溜まった水を取出し可能に設置されたことという特徴的な構成要件により、本考案が解決しようとする第１課題〜第６課題を達成することができ、当業者予測不可能な顕著な効果を奏することができた。
○第５の考案の効果
第５の考案によれば、
水タンク空間ＴＳの中央部に仕切り板Ｐｐを設けて、仕切り板Ｐｐ上部に、通気可能な通気口ＧＯを設けたことという特徴的な構成要件により、本考案が解決しようとする第１課題〜第６課題を達成することができ、当業者予測不可能な顕著な効果を奏することができた。
○第６の考案の効果
第６の考案によれば、
固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなることという特徴的な構成要件により、本考案が解決しようとする第１課題〜第６課題を達成することができ、当業者予測不可能な顕著な効果を奏することができた。
○第７の考案の効果
第７の考案によれば、
固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気管ＳＰ吸気口ＳＯはそれぞれ通気可能に接続してなることという特徴的な構成要件により、本考案が解決しようとする第１課題〜第６課題を達成することができ、当業者予測不可能な顕著な効果を奏することができた。
【考案を実施するための最良の形態】
【０００８】
以下、本考案に係る、脱着容易な水タンクを有する真空包装機１００に関する最良の実施形態について、図面を参照しながら説明する。
［図１］図１は、本発明に係る水タンク９９の正面図である。
［図２］図２は、本発明に係る水タンク９９の背面図である。
［図３］図３は、本発明に係る水タンク９９の平面図である。
［図４］図４は、本発明に係る水タンク９９の底面図である。
［図５］図５は、本発明に係る水タンク９９の右側面図である。本発明に係る水タンク９９の左側面図は、本発明に係る水タンク９９の右側面図対象に表れるので省略する。
［図６］図６は、本発明に係る水タンク９９の正面の右上から見た斜視図である。
［図７］図７は、正面図におけるＡ−Ａ矢視図である。
［図８］図８は、正面図におけるＢ−Ｂ矢視図である。
［図９］図９は、本発明に係る水タンク９９の真空包装機の正面図である。
［図１０］図１０は、本発明に係る水タンク９９の真空包装機の背面図である。
［図１１］図１１は、本発明に係る水タンク９９の真空包装機の平面図である。
［図１２］図１２は、本発明に係る水タンク９９の真空包装機の底面図である。
［図１３］図１３は、本発明に係る水タンク９９の真空包装機の右側面図である。
［図１４］図１４は、本発明に係る水タンク９９の真空包装機の水タンク収納室ＴＲと水タンク固定具ＴＦの部分の拡大平面図である。
［図１５］図１５は、本発明に係る水タンク９９の真空包装機の水タンク収納室ＴＲと水タンク固定具ＴＦの部分の拡大背面図である。
［図１６］図１６は、本発明に係る水タンク９９の真空包装機の水タンク収納室ＴＲと水タンク固定具ＴＦの部分を背面の右上から見た斜視図である。
［図１７］図１７は、従来技術の正面の右上面からの斜視図である。
［図１８］図１８は、従来技術の正面の右上面からの背面図である。
以下、本考案に係る、脱着容易な水タンクを有する真空包装機１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
脱着容易な水タンク９９を有する真空包装機１００において、真空包装機１００は、第１の両側面Ｓ１と第１の正面Ｆ１と第１の底面Ｄ１により構成された水タンク収納室ＴＲを有し、水タンク収納室ＴＲには水タンク固定具ＴＦが設置されてなり、水タンク固定具ＴＦは、第２の両側面Ｓ２、第２の背面Ｆ２、第２の上面Ｕ２、及び、第１の正面Ｆ１と第１の底面Ｄ１から構成されてなり、水タンク固定具ＴＦの両側面Ｆ２にスライド機構ＳＭを有し、水タンク固定具ＴＦの上面Ｕ２には、排気口ＥＯと吸気口ＳＯを上向きに設置し、排気口ＥＯと吸気口ＳＯは、真空包装機１００の真空ポンプＰの排気側ＥＯ’と吸気側ＳＯ’にそれぞれ接続されてなると共に、
水タンク９９は、第３の両側面板Ｓ３と第３の正面板Ｆ３と第３の背面板Ｂ３と上面板Ｕ３と第３の底面板Ｄ３、及び、固定凹部ＦＣをも構成する第４の両側面板Ｓ４と第４の背面板Ｂ４と第４の上面板Ｕ４により構成され、水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなると共に、
固定凹部ＦＣを上から水タンク固定具ＴＦと嵌合させて、水タンク９９を水タンク収納室ＴＲに収納し、第２の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックすることを特徴とする脱着容易な水タンクを有する真空包装機１００が開示されている。
○第１の考案の効果
第１の考案によれば、
脱着容易な水タンク９９を有する真空包装機１００において、真空包装機１００は、第１の両側面Ｓ１と第１の正面Ｆ１と第１の底面Ｄ１により構成された水タンク収納室ＴＲを有し、水タンク収納室ＴＲには水タンク固定具ＴＦが設置されてなり、水タンク固定具ＴＦは、第２の両側面Ｓ２、第２の背面Ｆ２、第２の上面Ｕ２、及び、第１の正面Ｆ１と第１の底面Ｄ１から構成されてなり、水タンク固定具ＴＦの両側面Ｆ２にスライド機構ＳＭを有し、水タンク固定具ＴＦの上面Ｕ２には、排気口ＥＯと吸気口ＳＯを上向きに設置し、排気口ＥＯと吸気口ＳＯは、真空包装機１００の真空ポンプＰの排気側ＥＯ’と吸気側ＳＯ’にそれぞれ接続されてなると共に、
水タンク９９は、第３の両側面板Ｓ３と第３の正面板Ｆ３と第３の背面板Ｂ３と上面板Ｕ３と第３の底面板Ｄ３、及び、固定凹部ＦＣをも構成する第４の両側面板Ｓ４と第４の背面板Ｂ４と第４の上面板Ｕ４により構成され、水タンク９９の内部空間である水タンク空間ＴＳと固定凹部ＦＣとは排気管ＥＰと吸気管ＳＰで通気可能に接続してなり、固定凹部ＦＣの両側面Ｓ４には、スライド機構ＳＭが設けてなると共に、
固定凹部ＦＣを上から水タンク固定具ＴＦと嵌合させて、水タンク９９を水タンク収納室ＴＲに収納し、第２の両側面Ｓ２に有るスライド機構ＳＭは、両側面Ｓ３に設けたスライド機構ＳＭと嵌合して直線運動をすると共に、水タンク９９と水タンク固定具ＴＦを前後方向に外れないようにロックすることという特徴的な構成要件により、本考案が解決しようとする第１課題〜第６課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
第2の両側面Ｓ２に有るスライド機構ＳＭがガイド溝ＧＧからなり、両側面Ｓ３に設けたスライド機構ＳＭがガイド突起ＧＰからなることを特徴とする請求項１に記載された脱着容易な水タンクを有する真空包装機１００が開示されている。
○第２の考案の効果
第２の考案によれば、
第2の両側面Ｓ２に有るスライド機構ＳＭがガイド溝ＧＧからなり、両側面Ｓ３に設けたスライド機構ＳＭがガイド突起ＧＰからなることという特徴的な構成要件により、本考案が解決しようとする第１課題〜第６課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
第2の両側面Ｓ２に有るスライド機構ＳＭがガイド突起ＧＰからなり、両側面Ｓ３に設けたスライド機構ＳＭがガイド溝ＧＧからなることを特徴とする請求項１〜２の何れかに記載された脱着容易な水タンクを有する真空包装機１００が開示されている。
○第３の考案の効果
第３の考案によれば、
第2の両側面Ｓ２に有るスライド機構ＳＭがガイド突起ＧＰからなり、両側面Ｓ３に設けたスライド機構ＳＭがガイド溝ＧＧからなることという特徴的な構成要件により、本考案が解決しようとする第１課題〜第６課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
水タンク空間ＴＳには、水取出し管ＷＰが、水タンク空間ＴＳに溜まった水を取出し可能に設置されたことを特徴とする請求項１〜３の何れかに記載された脱着容易な水タンクを有する真空包装機１００が開示されている。
○第４の考案の効果
第４の考案によれば、
水タンク空間ＴＳには、水取出し管ＷＰが、水タンク空間ＴＳに溜まった水を取出し可能に設置されたことという特徴的な構成要件により、本考案が解決しようとする第１課題〜第６課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
水タンク空間ＴＳの中央部に仕切り板Ｐｐを設けて、仕切り板Ｐｐ上部に、通気可能な通気口ＧＯを設けたことを特徴とする請求項１〜４の何れかに記載された脱着容易な水タンクを有する真空包装機１００が開示されている。
○第５の考案の効果
第５の考案によれば、
水タンク空間ＴＳの中央部に仕切り板Ｐｐを設けて、仕切り板Ｐｐ上部に、通気可能な通気口ＧＯを設けたことという特徴的な構成要件により、本考案が解決しようとする第１課題〜第６課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなることを特徴とする請求項１〜５の何れかに記載された脱着容易な水タンクを有する真空包装機１００が開示されている。
○第６の考案の効果
第６の考案によれば、
固定凹部ＦＣを上から水タンク固定具ＴＦと嵌合させて、水タンク９９を水タンク収納室ＴＲに収納した状態において、排気管ＥＰと排気口ＥＯ及び吸気管ＳＰと吸気口ＳＯはそれぞれ通気可能に接続してなることという特徴的な構成要件により、本考案が解決しようとする第１課題〜第６課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の脱着容易な水タンクを有する真空包装機１００において、
水タンク空間ＴＳの中央部に仕切り板Ｐｐを設けて、仕切り板Ｐｐ上部に、通気可能な通気口ＧＯを設けたことが開示されている。
○第７の考案の効果
第７の考案によれば、
固定凹部ＦＣを上から水タンク固定具ＴＦと嵌合させて、水タンク９９を水タンク収納室ＴＲに収納した状態において、排気管ＥＰは排気口ＥＯに挿入され、吸気管ＳＰは吸気口ＳＯに挿入されることにより、排気管ＥＰと排気口ＥＯ及び吸気管ＳＰ吸気口ＳＯはそれぞれ通気可能に接続してなることという特徴的な構成要件により、本考案が解決しようとする第１課題〜第６課題を達成することができ、当業者予測不可能な顕著な効果を奏することができた。
【図面の簡単な説明】
【０００９】
【図１】図１は、本発明に係る水タンク９９の正面図である。
【図２】図２は、本発明に係る水タンク９９の背面図である。
【図３】図３は、本発明に係る水タンク９９の平面図である。
【図４】図４は、本発明に係る水タンク９９の底面図である。
【図５】図５は、本発明に係る水タンク９９の右側面図である。本発明に係る水タンク９９の左側面図は、本発明に係る水タンク９９の右側面図対象に表れるので省略する。
【図６】図６は、本発明に係る水タンク９９の正面の右上から見た斜視図である。
【図７】図７は、正面図におけるＡ−Ａ矢視図である。
【図８】図８は、正面図におけるＢ−Ｂ矢視図である。
【図９】図９は、本発明に係る水タンク９９の真空包装機の正面図である。
【図１０】図１０は、本発明に係る水タンク９９の真空包装機の背面図である。
【図１１】図１１は、本発明に係る水タンク９９の真空包装機の平面図である。
【図１２】図１２は、本発明に係る水タンク９９の真空包装機の底面図である。
【図１３】図１３は、本発明に係る水タンク９９の真空包装機の右側面図である。
【図１４】図１４は、本発明に係る水タンク９９の真空包装機の水タンク収納室ＴＲと水タンク固定具ＴＦの部分の拡大平面図である。
【図１５】図１５は、本発明に係る水タンク９９の真空包装機の水タンク収納室ＴＲと水タンク固定具ＴＦの部分の拡大背面図である。
【図１６】図１６は、本発明に係る水タンク９９の真空包装機の水タンク収納室ＴＲと水タンク固定具ＴＦの部分を背面の右上から見た斜視図である。
【図１７】図１７は、従来技術の正面の右上面からの斜視図である。
【図１８】図１８は、従来技術の正面の右上面からの背面図である。
【符号の説明】
【００１０】
９９……水タンク
１００……真空包装機
Ｓ１……両側面
Ｂ１……背面
Ｄ１……底面
Ｓ２……両側面
Ｂ２……正面
Ｄ２……底面
ＴＦ……水タンク固定具
Ｐ……真空ポンプ
ＥＯ……排気口
ＳＯ……吸気口
ＥＰ……排気管
ＳＰ……吸気管
ＥＯ’……吸気側
ＳＯ’……排気側
Ｓ３……両側面板
Ｆ３……正面板
Ｂ３……背面板
Ｕ３……上面板
Ｄ３……底面板
Ｓ４……両側面板
Ｂ４……背面板
Ｕ４……上面板
ＦＣ……固定凹部
ＴＳ……水タンク空間
ＳＭ……スライド機構
ＧＧ……ガイド溝
ＧＰ……ガイド突起
ＷＰ……水取出し管
Ｐｐ……仕切り板
ＧＯ……通気口
【図１】
0003214329.tif 000003
【図２】
0003214329.tif 000004
【図３】
0003214329.tif 000005
【図４】
0003214329.tif 000006
【図５】
0003214329.tif 000007
【図６】
0003214329.tif 000008
【図７】
0003214329.tif 000009
【図８】
0003214329.tif 000010
【図９】
0003214329.tif 000011
【図１０】
0003214329.tif 000012
【図１１】
0003214329.tif 000013
【図１２】
0003214329.tif 000014
【図１３】
0003214329.tif 000015
【図１４】
0003214329.tif 000016
【図１５】
0003214329.tif 000017
【図１６】
0003214329.tif 000018
【図１７】
0003214329.tif 000019
【図１８】
0003214329.tif 000020
【図１９】
0003214329.tif 000021
【図２０】
0003214329.tif 000022
【手続補正書】
【提出日】平成29年11月15日(2017.11.15)
【手続補正１】
【補正対象書類名】明細書
【補正対象項目名】０００９
【補正方法】変更
【補正の内容】
【０００９】
【図１】図１は、本発明に係る水タンク９９の正面図である。
【図２】図２は、本発明に係る水タンク９９の背面図である。
【図３】図３は、本発明に係る水タンク９９の平面図である。
【図４】図４は、本発明に係る水タンク９９の底面図である。
【図５】図５は、本発明に係る水タンク９９の右側面図である。本発明に係る水タンク９９の左側面図は、本発明に係る水タンク９９の右側面図対象に表れるので省略する。
【図６】図６は、本発明に係る水タンク９９の正面の右上から見た斜視図である。
【図７】図７は、正面図におけるＡ−Ａ矢視図である。
【図８】図８は、正面図におけるＢ−Ｂ矢視図である。
【図９】図９は、本発明に係る水タンク９９の真空包装機の正面図である。
【図１０】図１０は、本発明に係る水タンク９９の真空包装機の背面図である。
【図１１】図１１は、本発明に係る水タンク９９の真空包装機の平面図である。
【図１２】図１２は、本発明に係る水タンク９９の真空包装機の底面図である。
【図１３】図１３は、本発明に係る水タンク９９の真空包装機の右側面図である。
【図１４】図１４は、本発明に係る水タンク９９の真空包装機の水タンク収納室ＴＲと水タンク固定具ＴＦの部分の拡大平面図である。
【図１５】図１５は、本発明に係る水タンク９９の真空包装機の水タンク収納室ＴＲと水タンク固定具ＴＦの部分の拡大背面図である。
【図１６】図１６は、本発明に係る水タンク９９の真空包装機の水タンク収納室ＴＲと水タンク固定具ＴＦの部分を背面の右上から見た斜視図である。
【図１７】図１７は、従来技術の正面の右上面からの斜視図である。
【図１８】図１８は、従来技術の正面の右上面からの背面図である。
【図１９】図１９は、固定凹部ＦＣを上から水タンク固定具ＴＦと嵌合させて、水タンク９９を水タンク収納室ＴＲに収納する状態を示す背面図である。
【図２０】図２０は、固定凹部ＦＣを上から水タンク固定具ＴＦと嵌合させて、水タンク９９を水タンク収納室ＴＲに収納した状態を示す水平断面図である。
【手続補正２】
【補正対象書類名】明細書
【補正対象項目名】００１０
【補正方法】変更
【補正の内容】
【００１０】
９９……水タンク
１００……真空包装機
Ｓ１……両側面
Ｂ１……背面
Ｄ１……底面
Ｓ２……両側面
Ｂ２……正面
Ｄ２……底面
ＴＦ……水タンク固定具
ＴＲ……水タンク収納室
Ｐ……真空ポンプ
ＥＯ……排気口
ＳＯ……吸気口
ＥＰ……排気管
ＳＰ……吸気管
ＥＯ’……吸気側
ＳＯ’……排気側
Ｓ３……両側面板
Ｆ３……正面板
Ｂ３……背面板
Ｕ３……上面板
Ｄ３……底面板
Ｓ４……両側面板
Ｂ４……背面板
Ｕ４……上面板
ＦＣ……固定凹部
ＴＳ……水タンク空間
ＳＭ……スライド機構
ＧＧ……ガイド溝
ＧＰ……ガイド突起
ＷＰ……水取出し管
Ｐｐ……仕切り板
ＧＯ……通気口